(57)【要約】【課題】  証明者の負担を軽減する一方で、より高い安全性を確保する認証装置および方法を提供するものである。【解決手段】  本発明の個人認証装置は、事前に設定した質問を行なう質問表示部１０と、その質問に対する回答を入力する回答入力部１１を備え、証明者は、質問表示部１０に表示された内容に従い、秘密情報である文字列を一文字づつ予め定められた規則に従って変換することによりあらたに作成された文字列を回答として回答入力部１１に入力する。そして、入力された回答が、質問に対する回答として正しい回答であるか否かを判断する判断手段を備え、回答が正しいと判断した時のみ正当な証明者本人であると認証する。【選択図】        図  １【特許請求の範囲】
【請求項１】
複数の文字からなる文字列の秘密情報を保持する保持手段と、
複数文字よりなる選択文字欄と該複数文字に割り当てられた変換文字よりなる回答欄を並設表示する質問表示手段と、
秘密情報文字列の各文字を変換した回答文字列を入力する回答入力手段と、
該回答入力手段で入力された変換文字よりなる回答文字列と前記秘密情報保持手段が保持する秘密情報との正否を判断する判断手段とを備え、
前記回答入力手段で入力される回答文字列は、秘密情報文字列の構成文字が存在する選択文字欄に対応する回答欄の変換文字よりなり、
前記判断手段は変換文字よりなる回答文字列と秘密情報文字列との正否の判断により認証の処理を実行させるよう構成されてなる個人認証装置。
【請求項２】
質問表示手段は、選択文字欄の複数文字列、および回答欄の変換文字を認証処理ごとに変更するよう構成されてなる請求項１記載の個人認証装置。
【請求項３】
証明側と認証側が共有する、複数の文字からなる文字列の秘密情報を保持する保持ステップと、
認証側が証明側に対して前記秘密情報に関する質問を行なう質問ステップと、
前記質問ステップの質問に対して証明側が回答を行なう回答ステップと、
前記質問ステップにより発した質問に対して、前記回答ステップで行なわれた回答が正しいか否かを前記秘密情報に基づき判断する判断ステップを備える質問応答型の個人認証方法において、
前記質問ステップは、複数の文字列よりなる選択文字欄と、該文字列に割り当てられる変換文字よりなる回答欄を質問表示部に並設表示させ、
前記回答ステップは、秘密情報を構成する文字列を第１番目の文字から順番に、質問ステップで表示された回答欄から、１字づつ予め定められた規則に従って新たに作成される文字列で回答することを特長とする質問応答型の個人認証方法。
【請求項４】
前記回答ステップにおける規則は、秘密情報文字列の構成文字が存在する選択文字欄に対応する回答欄の変換文字により回答することを特長とする請求項３記載の質問応答型の個人認証方法。
【発明の詳細な説明】
【技術分野】
【０００１】
本発明は、個人の認証方法・装置に関し、さらに詳しくは証明者と認証者とが秘密に共有する秘密情報（暗証番号、パスワード等）を用いて、証明者が正当な証明者本人であるか否かを認証する装置と方法に関する。
【背景技術】
【０００２】
従来、証明者が正当な証明者本人であることを認証者が認証する一般的な方法としては、証明者と認証者とが秘密に共有するパスワードや暗証番号を事前に設定しておき、認証者が認証を受けようとする時には、証明者が認証装置の端末等に入力したパスワードと、事前に設定しておいたパスワードとを比較することにより認証を行なうという方法がある。例えば銀行の自動支払機のように利用者が入力した暗証番号と事前に設定しておいた暗証番号とを比較することにより、その利用者が本人であることを認証するという方法が広く普及している。
【０００３】
より高い安全性が確保される方法として、認証者（認証装置）が証明者に対し質問を行ない、証明者が質問に応じて入力した回答により認証を行なう方式が特許文献１に記載されている。また質問およびその質問に対する回答を記録したカードを用いて認証を行なう方法が特許文献２に記載されている。これらの特許文献に記載の方法は、質問応答型認証方法と呼ばれているものである。
【０００４】
この質問応答型認証方法は、複数の質問とそれぞれの質問に対応する複数の回答を秘密情報として設定しておけば、認証を行なう時の質問に応じて答えるべき回答（パスワード）が変わるので、第３者が証明者本人になりすまし認証者（認証装置）から不正に認証を受けようとしても困難であり、一般的な認証方法よりも、より高い安全性が確保されるという特徴がある。
以下に、質問応答型認証方法を説明する。・・・図６参照
この認証装置２には、質問を表示する質問表示部２０と、回答を入力する回答入力部２１とを備えている。この質問表示部２０としては、ＣＲＴディスプレイ、または液晶ディスプレイ等を使用しており、また回答入力部２１は、文字や数字が入力できるようにキーボード、またはタッチパネル、または電子ペン等を使用して構成されている。
【０００５】
まず、証明者と認証者は事前に両者が共有する秘密情報の設定を行なう。ここでいう秘密情報とは、質問に対する回答が一意的に決定されるような質問と回答の組合せ（いわゆる合言葉）、あるいは、質問に対する回答を導き出すための規則のことをいう。
【０００６】
次に、認証者が証明者を認証しようとする際は、認証者は証明者に対し、事前に設定しておいた秘密情報に基づく質問を行なう。この時質問は、認証装置に備えられている質問表示部２０を用いて質問される。
【０００７】
一方証明者は、事前に設定しておいた秘密情報に基づいてその質問に対する回答を行なう。この時、回答は認証装置に備えられている回答入力部２１を用いて、１個または複数の文字や数字（文字列）を入力することにより回答を行なう構成となっている。
【０００８】
以上に述べた、秘密情報および質問および回答の具体的な例を図７に示す。図７（ａ）は証明者と認証者の両者が共有する秘密情報の例である。図７（ａ）のように、秘密情報は、８行８列のマトリックス状になっており、上から１行目は”ｑｕｅｓｔｉｏｎ”、２行目は”ａｎｓｗｅｒ”、３行目は”ｐｅｒｓｏｎａｌ”、・・・・  、８行目は”ｈａｃｋｅｒ”というように、合計８個の文字列で構成されている。また、図７（ｂ）は、認証者が証明者に対して行なう質問の例である。質問の内容は、図７（ｂ）のように８行８列のマトリックス状になっており、その内１行につき１個、合計８個の印が表示されている。また、図７（ｃ）は、証明者が行なう質問に対する回答となる文字列Ｗを示している。ここで、回答となる文字列は、事前に決められている規則に基づき導き出される。つまり、図７（ｂ）のように、質問の上から１行目は、左から３列目に印がしてあり、一方、事前に設定した秘密情報である図７（ａ）の同じ位置にある文字は”ｅ”となっている。したがって回答となる文字列Ｗの１文字目は”ｅ”である。同様に２文字目は”ａ”、３文字目は”ｏ”、・・・・  、８文字目は”ｒ”となる。つまり質問に対する正しい回答文字列Ｗは、図７（ｃ）に示したように｛ｅ，ａ，ｏ，ｙ，ｒ，ｅ，ｓ，ｒ｝となる。
【０００９】
認証装置は、証明者が回答入力部から入力した文字が、質問の回答として正しいかどうかの判断を行ない、正しいと判断されれば、認証者は証明者が正当な証明者本人であるとして認証する。
【００１０】
一般に、質問応答型認証方法による認証装置は、内容の異なる複数の質問を行ない、証明者はそれぞれの質問に回答し、すべての質問についての回答が正しいと判断された場合にのみ、認証者は証明者が正当な証明者本人であるとして認証する。例えば、図７に示す例では、８個の質問に対し８個の回答を行なっており、８個の回答すべてが正しいと判断された場合にのみ、認証者は認証する。
【００１１】
さらに、質問応答型認証方法による認証装置は、認証処理を行なうごとに質問が異なり、そのため必要となる入力すべき回答内容も異なる。例えば、図７に示す例では、認証処理を行なうごとに図７（ｂ）に示す質問の印の位置がランダムに変更されるため、認証処理を行なうごとに正しい回答文字列も異なる。したがって認証処理を行なう際に、ある質問に対する回答内容（証明者が入力した文字）を盗み見したり、あるいはその他の手段で回答内容を知り得た第３者が、証明者本人になりすまし不正に認証を受けようとして認証処理を行なっても、別の質問に対しては正しい回答内容を知り得ていないので、正しく回答することは困難である。
【００１２】
このように、質問応答型認証方法は認証装置としての高い安全性を確保できるという特長がある。
【特許文献１】特開平８−１８００２１号公報
【特許文献２】特開平１１−３３２０号公報
【発明の開示】
【発明が解決しようとする課題】
【００１３】
前項で述べた従来の質問応答型認証方法は、次の問題点がある。
【００１４】
第１の問題点は、特許文献２に開示される実施例のように質問に対してパスワード（合言葉）で回答を行なう場合、証明者はそのパスワードを正確に記憶しておく必要があるが、一般的な質問応答型認証方法では、複数個のパスワードを記憶しておくことが必要となる。このため、パスワードを記憶するための証明者の負担が大きくなる。またそれだけ証明者がパスワードを忘れてしまったり記憶間違いをしてしまう可能性が大きくなる。
【００１５】
第２の問題点は、特許文献１に開示されるように質問に対する回答を導き出すための規則、および思考の内容が煩雑であり、証明者の負担が大きくなる。例えば、図７に示す従来例では、証明者は、１文字目の回答を導き出すためには、秘密情報の１行目の文字列が何であったかを思いだし、さらにその文字列の３文字目の文字が何であるかを考える必要がある。さらに２文字目以降の回答を導き出すために同様な思考を合計８回行なわなければならない。また、思考している間は処理操作ができず、認証処理に時間がかかってしまう。
【００１６】
本発明はこのような問題点に鑑みてなされたものであり、証明者の負担を軽減する一方で、より高い安全性を確保する認証装置および方法を提供するものである。
【課題を解決するための手段】
【００１７】
本発明の個人認証装置は、証明者（側）と認証者（側）は事前に両者が共有する秘密情報の設定を行なう。ここでいう秘密情報とは、複数の文字からなる文字列（いわゆるパスワード）である。
【００１８】
また、認証装置には、事前に設定した質問を行なう質問表示部と、その質問に対する回答を入力する回答入力部を備えておく。
【００１９】
証明者は、質問表示部に表示された内容（並設される複数文字よりなる選択文字欄と複数文字に対応する変換文字よりなる回答欄）に従い、秘密情報である文字列を一文字づつ変換することによりあらたに作成された文字列を回答として回答入力部に入力する。
認証装置は回答入力部から入力された回答が、質問に対する回答として正しい回答であるか否かを判断する判断手段を備え、回答が正しいと判断した時のみ正当な証明者本人であると認証するものとする。
【００２０】
個人認証方法は、証明者（側）と認証者（側）とが共有する、複数の文字からなる文字列の秘密情報を保持する保持ステップと、表示された複数の文字列よりなる選択文字欄と、該文字列に対応する変換文字よりなる回答欄から認証者が証明者に対して前記秘密情報に関する質問を行なう質問ステップと、秘密情報を構成する文字列を第１番目の文字から順番に、質問ステップで表示された回答欄から１字づつ予め定められた規則に従って新たに作成される文字列で回答する回答ステップと、前記質問ステップにより発した質問に対して、前記回答ステップで行なわれた回答が正しいか否かを前記秘密情報に基づき判断する判断ステップを基本構成として備える。
【発明の効果】
【００２１】
証明者が記憶しておくべき秘密情報は１個の秘密情報（パスワード）のみとなり、証明者にとって秘密情報を記憶するための負担が少なくなる。さらに、パスワードを忘れてしまったり、記憶間違いをしたりする可能性が低くなる。
【００２２】
また、質問に対する回答を作成する方法が簡略なので、証明者が行なう思考の負担が少なくなるとともに、より短い時間で認証処理を行なうことができるようになる。
【発明を実施するための最良の形態】
【００２３】
以下、本発明の一実施例を、本発明の質問応答型の認証方法を使用した銀行の自動支払機を例に詳細に説明する。
【００２４】
図１は本発明による質問応答型認証方法を使用した銀行の自動支払機を示す概要図である。なお、図面は説明の便宜上自動支払機の操作面を拡大して表している。
【００２５】
現金自動支払機１には、操作面である利用者に対する質問を表示する質問表示部１０と、利用者が画像による回答を入力する回答入力部１１、およびカード挿入口１２を備えている。ここで質問表示部１０としては、ＣＲＴディスプレイ、または液晶ディスプレイ等を使用し、回答入力部１１は、文字や数字が入力できるようにキーボード、またはタッチパネル、または電子ペン等を使用して構成されている。
【００２６】
まず、認証者（側）である銀行と、証明者（側）である自動支払機の利用（証明）者Ｐは、カード１３に対して両者が共有する秘密情報の設定を事前に行なう。ここでいう秘密情報とは、複数の文字からなる文字列（いわゆるパスワード）である。この実施例においては、「ｇｉｎｋｏｕ」という６文字のパスワードが認証者と証明（利用）者Ｐとの間でカード１３に対する秘密情報として設定されているものとする。そして、この秘密情報はカード１３の口座番号に関連した情報として自動支払機に内蔵あるいは外部に接続されている情報の保持（記憶）部に保持される。
【００２７】
次に、利用（証明）者Ｐが実際に自動支払機１を利用して認証を受けようとする場合の認証処理を説明する。
【００２８】
利用（証明）者Ｐは銀行口座番号が記録されているカード１３を、自動支払機１のカード挿入口１２に挿入する。自動支払機１は挿入されたカード１３に記録されている口座番号を基に事前に設定されていた秘密情報（パスワード）を、秘密情報を保持する手段である保持（記憶）部（コンピュータ  図示せず）から読み出しておく。
【００２９】
自動支払機１は、質問表示部１０に証明（利用）者Ｐへの質問事項を表示する。
図２に質問表示部１０に表示される質問事項の例を示す。この例では、アルファベットのａからｚまでの２６文字を９種類に区分けした文字列として、選択文字欄１１０に表示される。そして、選択文字欄１１０の区分毎に、それぞれ１から９までの数字が回答欄１２０に変換して回答すべき文字として割り当てられ、選択文字欄１１０と回答欄１２０は隣接して並記されている。具体的には、選択文字欄１１０のｃ、ｐ、ｔの文字は「１」に変換するように回答欄１２０に割り当てられている。同様に、選択文字欄１１０のｇ、ｌ、ｗは「２」に変換するように割り当てられ、ｈ、ｑは「３」に、ａ、ｉ、ｖは「４」に、ｅ、ｏ、ｘは「５」に、ｍ、ｕ、ｚは「６」に、ｂ、ｆ、ｎは「７」に、ｋ、ｓ、ｙは「８」に、ｄ、ｊ、ｒは「９」にそれぞれ回答欄１２０に割り当てられている。
【００３０】
一方、証明（利用）者Ｐは以下の規則に従って回答を作成する。すなわち、事前に設定されていた秘密情報である「ｇｉｎｋｏｕ」という文字列（６文字）を、図２にもとづき一文字ずつ変換して６文字の回答を作成する。具体的には、「ｇｉｎｋｏｕ」という文字列の１文字目のｇは回答欄１２０の「２」に割り当てられているので「２」に変換する。以下同様に、２文字目のｉは「４」に変換し、３文字目のｎは「７」に、４文字目のｋは「８」に、５文字目のｏは「５」に、６文字目のｕは「６」に変換する。すなわち、パスワードに対する回答は「２４７８５６」となる。
【００３１】
このようにして証明（利用）者Ｐは予め定められた規則に従って質問に対する回答を作成し、その回答を回答入力部１１に入力する。
【００３２】
自動支払機１の判断部は、証明（利用）者Ｐが入力した回答が質問に対する回答として正しいか否かを判断する。正しいと判断されれば、その利用（証明）者は正当な利用（証明）者本人であると認証し、次の処理、例えば預金の払い戻し等に進む。反対に、誤っていると判断した場合は認証を拒絶し、別に規定された処理、例えば認証操作のやり直しを要求する、あるいはカードの利用を停止する等の処理を行なって、認証処理を終了する。
【００３３】
なお、質問表示部１０への文字の割り当ては、認証処理を行なうごとにランダムに変化させる。例えば図３に示すように、図２に示す選択文字欄１１０とそれに対応する回答欄１２０を異なる割り当てとした質問表示部１０を表示する。この場合は「ｇｉｎｋｏｕ」という秘密情報に対する正しい回答は、「３６３８４６」となり、図２の場合の正しい回答「２４７８５６」とは異なるものとなる。このように認証処理を行なうごとに、正しい回答は異なるものとなる。
【００３４】
また、上記実施例では、選択文字欄１１０はアルファベットを使い、その秘密情報を変換して作成する回答欄１２０は数字を使う場合を例にして説明したが、選択文字欄や回答欄に使う文字は、アルファベット・数字を混合して用いても良い。
図４に選択文字欄および回答欄の両方とも、アルファベットと数字を混合して使用した場合の文字の割り当ての例を示す。
この例でパスワードの「ｇ」はｃ、「ｉ」は６、・・・「ｏ」はＡ、「ｕ」は３となる。すなわち、パスワード「ｇｉｎｋｏｕ」の回答は「Ｃ６Ｂ２Ａ３」となる。
【００３５】
次に、以上に説明した自動支払機が実行する認証処理を図５に示すフローチャートで説明する。
【００３６】
まず、認証処理を行なう際は、ステップ５１（以下Ｓ５１のように示す）から処理が開始される。
【００３７】
次にＳ５２において、自動支払機自身に内蔵あるいは外部に接続されている保持（記憶）手段（コンピュータ）から事前に設定されている秘密情報を読み出す。
Ｓ５３において、選択文字欄１１０と回答欄１２０よりなる秘密情報の文字の変換割り当ての表示を質問表示部に表示させ、証明（利用）者にそれに対する回答を要求する。
【００３８】
Ｓ５４において、証明（利用）者が回答入力部から入力した回答を読み取る。
【００３９】
Ｓ５５において、Ｓ５４で読み取った回答が、質問の回答として正しいか否かを判断する。
【００４０】
Ｓ５６において、Ｓ５５の判断が、回答が正しいとなるとＳ５７に進む。また、回答が正しくない、と判断するとＳ５８へ進む。
【００４１】
Ｓ５７に進んだ場合、認証完了となり証明（利用）者が正当なカード利用（証明）者本人であると認証する。
【００４２】
Ｓ５８に進んだ場合、認証を拒絶し、別に規定された処理（認証のやり直しを要求する、あるいはカード利用停止する等）を行なう。
【００４３】
以上に説明した自動支払機の例の通り、本発明の質問応答型認証装置および方法により、認証者は、証明（利用）者が正当なカード利用（証明）者本人であることを認証することができる。
【００４４】
上記の実施例で説明した個人認証方法は、「認証処理を行なうごとに正しい回答が異なるため、認証装置としての高い安全性が確保できる」という質問応答型認証方法の特長を有しており、なおかつ、パスワードが１個のみで良いので、証明（利用）者がパスワードを記憶するための負担が少なくてすみ、パスワードを忘れてしまったり、記憶間違いをしたりする可能性が低くなる。
【００４５】
また、質問に対する回答を作成する方法が簡略なので、証明（利用）者が行なう思考の負担が少なくなるとともに、より短い時間で認証処理を行なうことができるようになる。
【図面の簡単な説明】
【００４６】
【図１】本発明の質問応答型認証方法の一実施例である、銀行の自動支払機を示す概要図である。
【図２】図１の自動支払機の質問表示部から表示される質問の例を示す図である。
【図３】図１の自動支払機の質問表示部から表示される質問の例で、図２とは別の質問内容を示す図である。
【図４】図１の自動支払機の質問表示部から表示される質問の例で、秘密情報にアルファベットや数字を混合して使用する場合の例を示す図である。
【図５】図１の自動支払機が行なう認証処理のフローを示す図である。
【図６】従来の技術における質問応答型認証装置の概要を示す図である。
【図７】図６に示す従来の技術における質問応答型認証装置による認証を行なう際の、秘密情報および質問および回答の例を示す図である。
【符号の説明】
【００４７】
１  自動支払機
１０  質問表示部
１１０  選択文字欄
１２０  回答欄
１１  回答入力部
１２  カード挿入口
１３  カード
２    認証装置
２０  質問表示部
２１  回答入力部
Ｐ    利用（証明）者
【図１】
2005038151.tif 000002
【図２】
2005038151.tif 000003
【図３】
2005038151.tif 000004
【図４】
2005038151.tif 000005
【図５】
2005038151.tif 000006
【図６】
2005038151.tif 000007
【図７】
2005038151.tif 000008